(57)【要約】【課題】衛生洗浄装置の熱交換器の寿命を向上するためのものである。【解決手段】人体を洗浄する時よりも多い流量で熱交換器３５へ通水する流量調節手段３１を備えたので、人体洗浄時よりも大流量を熱交換器３５に通水することによって、熱交換器３５内に生成したスケールに水流による衝撃を与えて剥離可能となり、スケール付着が低減され、衛生洗浄装置の長寿命化が図れる。【選択図】図３
2005226395.tif 000002
【特許請求の範囲】
【請求項１】
水を供給する流路と、前記流路から供給された水を加熱する熱交換器と、前記熱交換器の下流に接続された人体を洗浄する人体洗浄ノズルと、前記熱交換器への通水流量を調節する流量調節手段を備え、前記流量調節手段は前記人体洗浄ノズルで人体を洗浄する時よりも多い流量で前記熱交換器へ通水する衛生洗浄装置。
【請求項２】
流量調節手段は、人体洗浄ノズルで人体を洗浄する時の通水流量を調節する請求項１記載の衛生洗浄装置。
【請求項３】
人体洗浄ノズルへ通ずる主流路と、前記人体洗浄ノズル以外へ通ずる副流路と、熱交換器と前記人体洗浄ノズルとの間に主流路と副流路とを切替える流路切替手段を備えた請求項１または２記載の衛生洗浄装置。
【請求項４】
流量調節手段と流路切替手段を一体化して構成した請求項３記載の衛生洗浄装置。
【請求項５】
副流路は、人体洗浄ノズルの表面を洗浄する流路へ通じた請求項３または４に記載の衛生洗浄装置。
【請求項６】
熱交換器の下流にバイパス流路を設け、流量調節手段が人体洗浄ノズルで人体を洗浄する時よりも多い流量で前記熱交換器へ通水する時にはバイパス流路に通水するようにした請求項１または２記載の衛生洗浄装置。
【請求項７】
人体洗浄ノズルで人体を洗浄する時よりも多い流量で熱交換器への通水を実行するためのスイッチを備えた請求項１から６のいずれか１項記載の衛生洗浄装置。
【請求項８】
衛生洗浄便座への着座を検知する着座検知手段を備え、前記着座検知手段が着座を検知すると、流量調節手段は、人体洗浄ノズルで人体を洗浄する時よりも多い流量で熱交換器への通水を実行しない請求項１から７のいずれか１項記載の衛生洗浄装置。
【請求項９】
人体洗浄ノズルで人体洗浄を行った後に、人体洗浄ノズルで人体を洗浄する時よりも多い流量で熱交換器へ通水する請求項１から８のいずれか１項記載の衛生洗浄装置。
【請求項１０】
衛生洗浄装置を設置した便器の使用を検知する人体検知手段を備え、前記人体検知手段が人体を検知すると人体洗浄ノズルで人体を洗浄する時よりも多い流量で熱交換器への通水を実行しない請求項１から９のいずれか１項記載の衛生洗浄装置。
【請求項１１】
人体洗浄ノズルで人体を洗浄する時よりも多い流量で熱交換器へ通水する時に、前記熱交換器への通電量を可変させる請求項１から１０のいずれか１項記載の衛生洗浄装置。
【発明の詳細な説明】
【技術分野】
【０００１】
本発明は、熱交換器で加熱された温水を用いて、人体の局部を洗浄する衛生洗浄装置に関するものである。
【背景技術】
【０００２】
従来、この種の衛生洗浄装置の熱交換器は、図８に示すように、円筒状の基材パイプ１と外筒２からなる二重管構造をしている。そして、基材パイプ１の外面の一部にはヒータ部３が設けられている。また、基材パイプ１の内孔４には、らせん中子５が挿入されている（例えば、特許文献１参照）。
【０００３】
上記構成において、流体としての水は、基材パイプ１の内孔４を流れるものであり、その際、水は基材パイプ１の内孔４に挿入されたらせん中子５のねじ山６に沿って流れるものであり、ヒータ部からの熱と熱交換されて洗浄ノズルから温水を局部に向けて噴出することで局部を洗浄するものである。
【特許文献１】特開２００１−２７９７８６号公報
【発明の開示】
【発明が解決しようとする課題】
【０００４】
しかしながら、前記従来の構成では、ヒータ部により水を約４０℃程度まで加熱するために、熱交換器内にスケールが堆積し、熱交換効率が悪くなったり、さらにスケールが堆積していくと、流路を塞ぎ、水が流れなくなり、空焚き状態になるという課題があった。
【０００５】
本発明は、前記従来の課題を解決するもので、熱交換器内のスケール付着を低減することを目的とする。
【課題を解決するための手段】
【０００６】
前記従来の課題を解決するために、本発明の衛生洗浄装置は、人体洗浄ノズルで人体を洗浄する時よりも多い流量で熱交換器へ通水する流量調節手段を備えたものである。
【０００７】
これによって、人体洗浄ノズルで人体を洗浄する時よりも多い流量を熱交換器へ通水することで、熱交換器内での流速が増し、熱交換器内に生成するスケールに水流による衝撃を与えて剥離させ、スケールの付着を低減することができる。
【発明の効果】
【０００８】
本発明の衛生洗浄装置は、熱交換器内に、人体洗浄ノズル動作時の流量よりも大量の水を通水することで熱交換器内を洗浄し、熱交換器内のスケールを剥離してスケール付着、堆積を低減させることが出来るので、長寿命を実現することができる。
【発明を実施するための最良の形態】
【０００９】
第１の発明は、人体を洗浄する時よりも多い流量で熱交換器へ通水する流量調節手段を備えたので、人体洗浄時には必要十分な流量で、また、熱交換器内の洗浄を行う際には、人体洗浄時よりも大流量を熱交換器に通水して、熱交換器内に生成したスケールに水流による衝撃を与えて剥離可能となり、スケール付着が低減され、衛生洗浄装置の長寿命化が図れる。
【００１０】
第２の発明は、特に、第１の発明の流量調節手段は、熱交換器への通水量の調節に加え、人体洗浄ノズルへ通水する流量を調節するので、人体洗浄時に人体洗浄ノズルへ通水する流量調節手段と兼用できるので、小型化および低コスト化が実現できる。
【００１１】
第３の発明は、特に、第１の発明または第２の発明において、熱交換器と人体洗浄ノズルの間に流路を切替る流路切替手段を備え、流路切替手段は、人体洗浄ノズルへ通ずる主流路と人体洗浄ノズル以外へ通ずる副流路を切替えるようにした。つまり、熱交換器へ大量の通水を行い熱交換器内の洗浄を行い、人体洗浄ノズルで人体洗浄をしない場合には、副流路へ通水するようにしたので、人体洗浄ノズルからは大流量が吐出しないようにして人体に大量の水があたることがなく、安全快適に使用できる。
【００１２】
第４の発明は、特に、第３の発明において、流量調節手段と流路切替手段を一体化したので、流量調節手段と流路切替手段が兼用できるので、小型化できる。
【００１３】
第５の発明は、特に、第３の発明または第４の発明において、副流路へ通水された水は、人体洗浄ノズルの表面を洗浄する流路へ通じる構成としたので、大流量を熱交換器へ通水する、つまりは熱交換器内の洗浄と同時に、人体洗浄ノズルの表面を洗浄することができ、衛生洗浄装置を清潔に保てる。
【００１４】
第６の発明は、特に、第１または第２の発明において、人体を洗浄する時よりも多い流量で熱交換器へ通水する流量調節手段を備え、熱交換器の下流にバイパス流路を設け、大流量を流すときにバイパス流路に通水する構成としたので、大流量通水時にはバイパス流路を通して、圧損を少なくして大流量を確保することができるので、熱交換器内に生成したスケールに衝撃を与え剥離可能となり、スケール付着が低減され、効果的に熱交換器の洗浄が可能となり、衛生洗浄装置の長寿命化が図れる。
【００１５】
第７の発明は、特に、第１から６の発明において、人体を洗浄する時よりも多い流量で熱交換器への通水を任意に実行するためのスイッチを備えた。よって、使用者は、トイレ掃除など必要時にスイッチを押釦することによって熱交換器内の洗浄が確実に実行できる。
【００１６】
第８の発明は、特に、第１から７の発明において、衛生洗浄装置の便座部へ着座したことを検知する着座検知手段を備え、着座状態時には、人体を洗浄する時よりも多い流量で熱交換器への通水を実行しないので、着座時に熱交換器内洗浄が実行されることなく、安全及び快適に使用できる。
【００１７】
第９の発明は、特に、第１から８の発明において、人体洗浄後に、人体を洗浄する時よりも多い流量で熱交換器へ通水する構成とした。人体洗浄ノズルにて温水で人体洗浄を行った直後には、スケールが熱交換器内に定着しやすい。よって、人体洗浄後の最もスケールの定着しやすいタイミングに熱交換器内を大流量を通水して洗浄することで、よりスケール付着防止の効果が大きい。
【００１８】
第１０の発明は、特に、第１から９の発明において、衛生洗浄装置を設置した便器を使用する人体を検知する人体検知手段を備え、人体検知状態時には、人体を洗浄する時よりも多い流量で熱交換器への通水を実行しないので、男性の小便時に熱交換器内洗浄が実行されることなく、安全及び快適に使用できる。
【００１９】
第１１の発明は、特に、第１から１０の発明において、人体を洗浄する時よりも多い流量で熱交換器へ通水する時に、熱交換器への通電を可変させるので、熱交換器が通電状態および非通電状態となることによって、熱交換器の熱膨張および熱収縮による熱衝撃により、堆積したスケールに衝撃を与え剥離可能となり、スケール付着が防止でき、衛生洗浄装置の長寿命化が図れる。
【００２０】
以下、本発明の実施の形態について、図面を参照しながら説明する。なお、本実施の形態によって本発明が限定されるものではない。
【００２１】
（実施の形態１）
図１は本発明の第１の実施の形態における衛生洗浄装置の外観を示すものである。図１において、便器９には衛生洗浄装置１０が載置され、衛生洗浄装置１０の本体部１１、使用者が着座するための便座１２、便蓋１３、人体の局部を洗浄するための洗浄ノズル１４等から構成されている。本体部１１には給水源から洗浄水の給水するための給水管および商用電源から給電するための電気ケーブル（いずれも図示せず）が備えてある。また、衛生洗浄装置１０の内部には使用者が肛門の洗浄を行うためのお尻洗浄機能、小用後の女性局部を洗浄するビデ洗浄機能のほか洗浄後の人体局部を乾燥するための乾燥機能、寒冷時にトイレ空間を暖房する部屋暖房機能等（いずれも図示せず）が備えてあり、各々の操作はリモートコントローラ１５（以下、リモコンとする）によってなされる。また、本体部１１には使用者の着座を検知する着座検知手段１６、トイレに入室あるいは退室したことを検知する人体検知手段１７を備えている。
【００２２】
図２は、本発明の第１の実施の形態における衛生洗浄装置のリモコン１５を示す模式図である。リモコンにはお尻洗浄スイッチ１８、ビデ洗浄スイッチ１９、乾燥スイッチ２０、調節スイッチ２１、停止スイッチ２２および熱交換器洗浄スイッチ２３等を有している。そして使用者の操作信号は赤外線等の無線信号によって衛生洗浄装置の本体部１１へ送信される構成となっている。なお、熱交換器内洗浄スイッチ２３が押釦されると後述の熱交換器内洗浄動作が実行されるように構成されている。
【００２３】
図３は、本発明の第１の実施の形態における衛生洗浄装置の水回路を示す模式図である。図３において、まず、水源である水道配管３０からの分岐流れを切換弁３１へ導く給水管３２に接続される。この給水管３２上には止水手段としての電磁弁３３、洗浄水の流量を計測する流量センサ３４、温水をつくる熱交換器３５、温水の温度を検出する温度センサ３６などを備えている。さらにその下流側には流量を調節するための流量調節手段と流路を切替るための流路切替手段とが一体に構成された切換弁３１が接続されている。切換弁３１には、入り口流路３７が設けられ、主流路としてお尻ノズル３８、ビデノズル３９へ導く第１出口流路４０、第２出口流路４１が接続されている。また副流路としてお尻ノズル３７，ビデノズル３８の表面を洗浄可能に構成したノズル洗浄部４２へと導く第３出口流路４３が接続されている。また切換弁３１は制御器４４からの信号によって、モータ４５が駆動されて選択的に第１出口流路４０、第２出口流路４１、第３出口流路４３に連通される構成となっている。
【００２４】
図４、図５は本発明の第１の実施の形態における衛生洗浄装置の流量調節弁と流路切換弁を一体に構成した切換弁の構成図である。切換弁３１はハウジング５１とハウジング５１内に回転可能に挿入された弁体５２および弁体５２を回転駆動するモータ４５によって構成される。まず、ハウジング５１には入口流路３７、第１出口流路４０、第２出口流路４１、第３出口流路４３が設けられている。次に弁体５２であるが、ハウジング５１に挿入した際に入口流路３７に常時連通する形で内部流路５３が設けてあり、また、この内部流路５３から分岐して第１の弁体出口５４、第２の弁体出口５５が構成されている。この第１の弁体出口５４はハウジング５１の第１出口流路３６および第２出口流路３７に、また第２の弁体出口５５はハウジング５１の第３出口流路３８に対応して位置が決められており、弁体５２の回転角度によって、入口流路３５と第１出口流路３６、第２出口流路３７、第３出口流路３８の連通度合いを可変できる構成となっている。なお、それぞれの流路に対して内部リークの防止、もしくは外部漏れを防止するためにシール部材としてＯリング５６を備えてあるが、これはモータの負荷を軽減するためにはＸリングやＶパッキンなどの特殊Ｏリングを用いると効果的である。さらにモータ４５であるが、ここではオープン制御でも精度よく位置決めのできる減速ギア内蔵型のステッピングモータを採用し、その出力軸を弁体５２に挿入する形で取り付けてある。本実施例ではモータ４５はステッピングモータを採用したが、位置決めの精度さえ確保できれば、ブラシタイプの汎用ＤＣモータ等の利用も可能であるし、回転型のソレノイド等、様々なアクチュエータの応用が考えられることは言うまでもない。さらにまた、本実施例では回転型の切換弁を用いたが、直動型やダイヤフラムを用いたもの、さらには円盤タイプの弁体で複数流路の切替えを行うものなども容易に応用可能である。
【００２５】
図６は、熱交換器の断面図を示すものである。図６において、熱交換器は、加熱する発熱体としてのシーズヒータ６０と、シーズヒータ６０の外周を囲って流路６１を構成するケース６２から構成されている。そして、入水口６３と、吐水口６４と、シーズヒータ６０の電極端子６５、６６と、流路をシールするためのOリング６７を備えている。また、図中１６の矢印は水の流れを示す。電極端子６５、６６に電気を通電することでシーズヒータ６０が加熱され、シーズヒータ６０の外周を流れる水が加熱されて温水となり、人体洗浄ノズル１４へ供給されるものである。ここで、水は、ケース６１に設けた入水口６３から入水し、シーズヒータ６０の外周に流れ込み、さらに、シーズヒータ６０の外周に沿って螺旋状に配置したバネ６８によって、シーズヒータ６０の外周を螺旋状に旋回して流れ、ケース６２に設けられた吐出口６４より吐出されることになる。
【００２６】
以上のように構成された衛生洗浄装置について、以下その動作、作用を説明する。
【００２７】
衛生洗浄装置１０は、使用者が便座１２に着座し、リモコン１５の各操作スイッチを操作することで人体洗浄、乾燥機能等が実行される。
【００２８】
熱交換器内洗浄を実行する場合は、リモコン１５の熱交換器内洗浄スイッチ２３を押釦することで実行される。すなわち、熱交換器内洗浄スイッチ２３の押釦によってまず着座検知手段１６によって使用者が着座しているか否かが検出され、非着座時のみ熱交換器内洗浄動作を実行する。熱交換器内洗浄スイッチ２３が押釦されると、非着座である場合は、まず電磁弁３３が開弁し、洗浄水が流量センサ３４を経て熱交換器３５に流入し、切替弁３１は第３流路４３に連通して洗浄水がノズル洗浄部４２よりお尻ノズル３８、ビデノズル３９の表面に噴射される。この時の流量は人体洗浄時よりも多い流量となるように制御器４４によって制御されている。
【００２９】
したがって、熱交換器３５内に通水された洗浄水は、人体洗浄時に洗浄水が流れる流速よりも速い流れのものとなる。そして、シーズヒータ６０表面に生成したスケールは、水流による衝撃を受けて剥離可能となり、スケール付着が低減される。その結果、衛生洗浄装置１０の長寿命化が図れる。
【００３０】
また、シーズヒータ６０表面に螺旋状に配置するバネ６８は、バネ６８のピッチ間を構成する流路断面積が、ケース６２とシーズヒータ６０の間に構成されたドーナツ状の流路の断面積より狭くなるようなピッチで旋回させるようにした。この結果、バネ６８に沿って螺旋状に流れる旋回流の流速は、バネ６８がない場合に比べて速くすることができる。
【００３１】
以上述べたように、水を供給する流路と、流路に接続された水を加熱する熱交換器３５と、熱交換器３５の下流に接続された人体を洗浄する人体洗浄ノズル１４と、人体洗浄ノズル１４で人体を洗浄する時よりも多い流量で熱交換器３５へ通水する流量調節手段３１を備えることによって、熱交換器３５内に通水された洗浄水の流速は、人体洗浄時に洗浄水が流れる流速よりも速い流れのものとなる。そして、シーズヒータ６０表面に生成したスケールは、水流による衝撃を受けて剥離可能となり、スケール付着が低減される。また、剥離したスケール分は、速い流れによって下流側に流されてしまう効果があるとともに、乱流の旋回流によってスケールが小さく砕かれて下流側に流れていくので、下流側で詰まることがない。そして、熱交換器３５内にスケールが付着しにくくなることによって、衛生洗浄装置１０の長寿命化が図れる。
【００３２】
なお、本実施の形態では、シーズヒータ６０の外周にバネ６８を配置した例を示したが、バネ６８を配置しなくても流速を速める構成が可能であれば何ら問題ない。また、流速を速める構成としなくても、スケール付着を低減できるという同様の効果が得られれば何ら問題ない。また、熱源をシーズヒータ６０とした例を示しているが、セラミックヒータはもちろんのことその他の熱源を用いても何ら問題ない。
【００３３】
また、流量調節手段３１は、人体洗浄ノズル１４へ通水する流量も調節するので、人体洗浄時に人体洗浄ノズル１４へ通水する流量調節手段３１と兼用でき、小型化および低コスト化が実現できる。
【００３４】
また、熱交換器３５と人体洗浄ノズル１４の間に流路を切替る流路切替手段３１を備え、流路切替手段３１は、人体洗浄ノズル１４へ通ずる第１出口流路４０、第２出口流路４１と人体洗浄ノズル１４以外へ通ずる第３出口流路４３とを切替るので、第３出口流路４３への通水時、熱交換器３５へ多くの流量を通水しても、第１出口流路４０、第２出口流路４１へ通水されることはなく、人体洗浄ノズル１４からは吐出されないので、人体に水があたることがなく、安全快適に使用できる。
【００３５】
また、流量調節手段３１と流路切替手段３１を１体化したので、小型化、低コスト化できる。
【００３６】
また、第３出口流路４３は、人体洗浄ノズル１４の表面を洗浄する洗浄部４２へ通じた構成としたので、人体洗浄ノズル１４の表面を洗浄でき、清潔に保てる。
【００３７】
また、人体を洗浄する時よりも多い流量で熱交換器への通水を実行するためのスイッチ２３を備えたので、トイレ掃除など必要時に押釦することによって熱交換器３５内の洗浄が確実に実行できる。なお、本実施の形態では、熱交換器内洗浄スイッチという名称にしたが、名称はブースト洗浄スイッチやスケール除去スイッチ等どのようなものであっても何ら問題ない。また、リモコン１５にスイッチを設けているが、衛生洗浄総理１０の本体１１に設けても、その他の場所に設けても何ら問題ない。
【００３８】
また、人が便座へ着座したことを検知する着座検知手段１６を備え、着座状態時には、人体を洗浄する時よりも多い流量で熱交換器３５への通水を実行しないので、非着座時のみ熱交換器内洗浄動作を実行する。これにより、着座中に誤って熱交換器内洗浄スイッチ２３を押釦しても熱交換器内洗浄が実行されることなく、故障などにより、切替弁３１が人体洗浄ノズル１４に通水するような位置で停止してしまっても、着座中に人体洗浄ノズル１４から熱交換器洗浄用の多くの流量が吐出することなく安全性が向上する。
【００３９】
また、人体洗浄後に、自動的に人体を洗浄する時よりも多い流量で熱交換器へ通水する構成としたので、人体洗浄後にスケールが熱交換器内に定着する前に熱交換器内を洗浄できるので、スケール付着の低減が実現できる。また、毎回忘れることなく確実に熱交換器内洗浄が行われるのでスケール付着を低減できる。なお、熱交換器内洗浄は、人体洗浄後であれば、スケール付着が低減するなら、何分後に行っても何ら問題はない。また、使用するごとに熱交換器内洗浄が行われるので、忘れることなく、確実にスケール付着を低減できる。
【００４０】
また、便器を使用する人体を検知する人体検知手段１７を備え、人体検知状態時には、人体を洗浄する時よりも多い流量で熱交換器３５への通水を実行しないので、例えば、人体洗浄後に自動に行われる熱交換器内洗浄と男性の小便時等が重なった場合には、熱交換器内洗浄が実行されることなく、安全及び快適に使用できる。また、熱交換器内洗浄スイッチ２３にて洗浄を行う場合は、人体検知手段１７の信号をキャンセルするような構成とすることで、熱交換器内洗浄スイッチ２３を押しているにもかかわらず、熱交換器内洗浄が行われないといった不具合は改善される。
【００４１】
また、人体を洗浄する時よりも多い流量で熱交換器３５へ通水する時に、熱交換器３５への通電を加減させることが出来るので、例えば、熱交換器３５の通電をON/OFFすることによって、熱交換器３５の熱膨張および熱収縮により、堆積したスケールに熱衝撃を与え剥離可能となり、スケール付着が防止でき、衛生洗浄装置１０の長寿命化が図れる。また、ON/OFFを行う代りに、通電量を増減させても、上述の効果が得られれば何ら問題はない。
【００４２】
（実施の形態２）
図７は、本発明の第２の実施の形態における衛生洗浄装置の水回路を示す模式図である。第１の実施の形態に示した図３と異なる点は、熱交換器内洗浄を行う時のバイパス流路７０を新たに設け、流路の切替を行うための遮断弁７１，７２を設けた点である。その他は図３に示した実施の形態１と同様であり、同一番号を伏して詳細な説明を省略する。
【００４３】
以上のように構成された衛生洗浄装置について、以下その動作、作用を説明する。
【００４４】
熱交換器内洗浄を行う時には、熱交換器３５下流に設けた遮断弁７１を閉じ、バイパス流路下流に設けた遮断弁７２を開けることによって熱交換器内洗浄用の流路を確保する。また、人体洗浄時は、熱交換器下流に設けた遮断弁７１を開け、バイパス流路下流に設けた遮断弁７２を閉じることによって人体洗浄用の流路を確保する。
【００４５】
したがって、人体を洗浄する時よりも多い流量で熱交換器３５へ通水するときは、バイパス流路７０に通水する構成としたので、大流量通水時には圧損の少ないバイパス流路７０に通水して、大流量を確保することができるので、熱交換器３５内に生成したスケールに衝撃を与え剥離可能となり、スケール付着が低減され、衛生洗浄便座１０の長寿命化が図れる。
【００４６】
また、バイパス流路７０の先端をノズル洗浄部４２に接続することで、より多くの流量を用いた洗浄ノズル１４の洗浄が可能となる。
【００４７】
また、バイパス流路７０を設けたことにより、日常の熱交換器内洗浄は第３出口流路４３を使用し、１ヶ月に１回はバイパス流路７０を用いる洗浄を行うといった使用もできる。バイパス流路７０と第３出口流路４３とのどちらを選択するかは、リモコン１５の熱交換内洗浄スイッチ２３を一度押しするとバイパス流路７０を用いる洗浄が、二度押しすると第３出口流路４３を用いた洗浄が選択できるといった方法がある。なお、選択方法は、この方法に限ったものではない。
【産業上の利用可能性】
【００４８】
以上のように、本発明にかかる衛生洗浄装置は、人体を洗浄する時よりも多い流量で熱交換器へ通水する流量調節手段を備えたので、人体洗浄時よりも大流量を熱交換器に通水して、熱交換器内に生成したスケールに水流による衝撃を与えて剥離可能となり、スケール付着が低減され、衛生洗浄装置の長寿命化が図れる。
【図面の簡単な説明】
【００４９】
【図１】本発明の実施の形態１における衛生洗浄装置の外観斜視図
【図２】本発明の実施の形態１におけるリモコンの斜視図
【図３】本発明の実施の形態１における衛生洗浄装置の水回路構成のブロック図
【図４】本発明の実施の形態１における衛生洗浄装置の切換弁の正面断面図
【図５】本発明の実施の形態１における衛生洗浄装置の切換弁の平面断面図
【図６】本発明の実施の形態１における熱交換器の断面図
【図７】本発明の実施の形態２における衛生洗浄装置の水回路構成のブロック図
【図８】本発明の従来例を示す熱交換器の断面図
【符号の説明】
【００５０】
１０  衛生洗浄装置
１４  人体洗浄ノズル
１６  着座検知手段
１７  人体検知手段
２３  スイッチ（熱交換器内洗浄スイッチ）
３１  切替弁（流量調節手段、流路切替手段）
３５  熱交換器
４０  主流路である第１出口流路
４１  主流路である第２出口流路
４２  洗浄部
４３  副流路である第３出口流路
７０  バイパス流路
７１  遮断弁
【図１】
2005226395.tif 000003
【図２】
2005226395.tif 000004
【図３】
2005226395.tif 000005
【図４】
2005226395.tif 000006
【図５】
2005226395.tif 000007
【図６】
2005226395.tif 000008
【図７】
2005226395.tif 000009
【図８】
2005226395.tif 000010